(57)【要約】【課題】  内部に可動レンズを駆動するリニア駆動装置と絞り機構を備えたレンズ鏡筒であって、その絞り機構に対して漏洩磁束による影響を与えることなく、かつ幅方向の小型化が実現できるレンズ鏡筒を提供する。【解決手段】  本発明のレンズ鏡筒においては、マグネット９の磁化方向がほぼ鉛直方向になるように構成されているため、レンズホルダ３の駆動中に発生した漏洩磁束が水平方向に広がるようになる。その結果、その漏洩磁束が光軸を含む水平面に対して反対側にあるガルバノメータ１１に到達するのを防止又は抑制することができる。また、メインヨーク８，マグネット９及びサイドヨーク７を、ガイドシャフト５１を通る鉛直線上に配置して磁気回路の幅方向の大きさを小さくしたため、レンズ鏡筒においてその持ち易さ等の観点から特に要請される幅方向の小型化を実現することができる。【選択図】  図１
2005148252.tif 000002
【特許請求の範囲】
【請求項１】
内部レンズ機構を収容する筒体からなる鏡筒と、
前記鏡筒内に配置された可動レンズを保持するレンズホルダを、光軸にほぼ平行に延びるガイド軸に沿って駆動させるためのリニア駆動装置と、
光軸を含む水平面に対して前記リニア駆動装置とは反対側に設けられ、外部からの入射光の光量を調整する絞り機構を駆動するための駆動用モータと、
を備えたレンズ鏡筒であって、
前記リニア駆動装置は、
前記鏡筒内に固定されると共に前記ガイド軸に平行に延びる長尺状の第１ヨークと、前記第１ヨークに連結されて長尺環状のヨーク部を形成する第２ヨークと、前記第１ヨークと前記第２ヨークとの間に両ヨークの一方に沿って固定されると共に前記第１ヨークに平行に延び、前記レンズホルダの駆動方向と垂直な方向に磁化されたマグネットとからなる磁気回路と、
前記レンズホルダに固定される一方、前記ヨーク部において前記マグネットと所定の間隔をあけつつ前記第１ヨークに外挿され、その第１ヨークに沿って移動可能に構成された筒状の駆動コイルと、
を備え、前記駆動コイルに前記マグネットの発生する磁束と直交するように電流を流すことで、前記レンズホルダを前記ガイド軸に沿って駆動するように構成され、
前記第２ヨークの前記第１ヨークからの延出方向及び前記マグネットの磁化方向が、当該レンズ鏡筒の正姿勢において、それぞれほぼ鉛直方向になるように構成されたことを特徴とするレンズ鏡筒。
【請求項２】
前記磁気回路が、当該レンズ鏡筒の正姿勢において、前記ガイド軸を通る鉛直線上に配置されていることを特徴とする請求項１記載のレンズ鏡筒。
【請求項３】
前記絞り機構は、前記駆動用モータとしてのガルバノメータの駆動により複数枚の羽根を動作させる機構として構成されたことを特徴とする請求項１記載のレンズ鏡筒。
【請求項４】
前記絞り機構は、前記駆動用モータとしてのステッピングモータの駆動により複数枚の羽根を動作させる機構として構成されたことを特徴とする請求項１記載のレンズ鏡筒。
【請求項５】
内部レンズ機構を収容する筒体からなる鏡筒と、
前記鏡筒内に配置された可動レンズを保持するレンズホルダを、光軸にほぼ平行に延びるガイド軸に沿って駆動させるためのリニア駆動装置と、
光軸を含む水平面に対して前記リニア駆動装置とは反対側に設けられ、外部からの入射光の光量を調整する絞り機構を駆動するための駆動用モータと、
を有するレンズ鏡筒を備え、前記可動レンズとしての移動レンズ群を含む光学系により結像面上に物体像を形成するように構成され、前記移動レンズ群を前記リニア駆動装置により駆動する光学機器であって、
前記リニア駆動装置は、
前記鏡筒内に固定されると共に前記ガイド軸に平行に延びる長尺状の第１ヨークと、前記第１ヨークに連結されて長尺環状のヨーク部を形成する第２ヨークと、前記第１ヨークと前記第２ヨークとの間に両ヨークの一方に沿って固定されると共に前記第１ヨークに平行に延び、前記レンズホルダの駆動方向と垂直な方向に磁化されたマグネットとからなる磁気回路と、
前記レンズホルダに固定される一方、前記ヨーク部において前記マグネットと所定の間隔をあけつつ前記第１ヨークに外挿され、その第１ヨークに沿って移動可能に構成された筒状の駆動コイルと、
を備え、前記駆動コイルに前記マグネットの発生する磁束と直交するように電流を流すことで、前記レンズホルダを前記ガイド軸に沿って駆動するように構成され、
前記第２ヨークの前記第１ヨークからの延出方向及び前記マグネットの磁化方向が、当該レンズ鏡筒の正姿勢において、それぞれほぼ鉛直方向になるように構成されたことを特徴とする光学機器。
【請求項６】
前記リニア駆動装置を、光軸方向からみて前記鏡筒内の４隅のいずれかに設けたことを特徴とする請求項１記載のレンズ鏡筒。
【請求項７】
前記絞り機構を構成する２枚の羽根をガイドするためのレールを、前記鏡筒の幅方向に２本配置したことを特徴とする請求項１記載のレンズ鏡筒。
【請求項８】
前記駆動コイルは前記レンズホルダに接着剤により固定され、両者の接着塗布面を水平な向きに配置したことを特徴とする請求項１記載のレンズ鏡筒。
【請求項９】
前記第２ヨークがコの字状をなし、
前記鏡筒には、当該レンズ鏡筒が正姿勢にあるときの上面位置にスリットが設けられ、
前記第２ヨークをその両端側から前記スリットに挿入嵌合することにより、前記第１ヨークに対して固定されるように構成されたことを特徴とする請求項１記載のレンズ鏡筒。
【請求項１０】
カメラのレンズ鏡筒として構成され、
前記第１ヨーク，前記第２ヨーク，前記マグネット，前記駆動コイルの断面が、それぞれ長辺が０．５ｍｍ〜２ｍｍ、短辺が０．２〜１．２ｍｍの長方形状となるように形成されると共に、前記駆動コイルの前記第２ヨークに沿った方向の長さが１ｍｍ〜５ｍｍとなるように形成されることにより、前記リニア駆動装置の推力定数として０．２Ｎ／Ａ以上を実現するように構成されたことを特徴とする請求項１記載のレンズ鏡筒。
【発明の詳細な説明】
【技術分野】
【０００１】
本発明はレンズ鏡筒に関し、特にカメラやビデオカメラ等の光学機器に適用され、内部磁気回路によって可動レンズを駆動するリニア駆動装置を備えたレンズ鏡筒に関する。
【背景技術】
【０００２】
近年、ビデオカメラ等の光学機器のレンズ鏡筒においては、小型化に有利ということで、ズームレンズ群とその後方のフォーカスレンズ群を光軸方向に位置可変することで焦点調整を行う、いわゆる「インナーフォーカス方式」が主流になってきている。この方式では、マイコン制御により、フォーカスレンズ群がズームレンズ群の位置変化に従って光軸方向に移動し、レンズ鏡筒後部の撮像素子の結像面上に物体像を形成する構成になっている。
【０００３】
そして、近年の高速ズーム及び長時間撮影の要請を性能上実現するために、このフォーカスレンズ群やズームレンズ群の駆動部分に、従来のステッピングモータに代わって、高速応答性及び低消費電力化に優れたボイスコイル型のリニア駆動装置が採用されてきている（例えば特許文献１）。
【０００４】
以下、このようなリニア駆動装置の構成例を、ズームレンズの駆動部を例に説明する。図５は、従来のレンズ鏡筒におけるズームレンズ駆動部の主要部の構成を表す内部斜視図であり、図６は、そのレンズ鏡筒のズームレンズ前方からみた横断面図である。
【０００５】
図５に示すように、このレンズ鏡筒において、レンズホルダ２１は、ズームレンズ２２を保持すると共に、光軸に平行に配され、両端を鏡筒２３に固定されたガイドシャフト２４ａ、２４ｂに沿って光軸方向（図中Ｘ方向）に摺動自在に構成されている。
【０００６】
すなわち、このレンズホルダ２１を光軸方向に駆動させるリニア駆動装置の固定子として、長尺状のマグネット２５と、このマグネット２５を取り囲むように配置されたメインヨーク２６及びサイドヨーク２７とからなる磁気回路２８が鏡筒２３に固定されている。
【０００７】
サイドヨーク２７は長尺状をなし、その両端がそれぞれ鏡筒２３に固定されている。また、メインヨーク２６はコの字型の本体を有し、その両先端部がサイドヨーク２７の側壁に固定されている。マグネット２５は、レンズホルダ２１の駆動方向と垂直な方向（図中Ｙ方向）に磁化されており、メインヨーク２６とサイドヨーク２７との間のメインヨーク２６側にその長手方向に沿って固定されている。
【０００８】
一方、リニア駆動装置の可動子として、駆動コイル２９がレンズホルダ２１に固定されている。この駆動コイル２９は、サイドヨーク２７を取り囲みつつマグネット２５と所定の空隙を有するように配置されており、マグネット２５の発生する磁束と直交するように駆動コイル２９に電流を流すことで、レンズホルダ２１を光軸方向に駆動するようになっている。
【０００９】
また、鏡筒２３内において、光軸を含む水平面（Ｘ−Ｙ平面）に対して磁気回路２８とは反対側の領域には、絞りユニット３０が設けられている。この絞りユニット３０は、図示しない絞りレンズの絞り機構を駆動するガルバノメータやステップモータ等の駆動用モータ３１と絞り機構を収容するケース３２とからなり、その駆動用モータ３１の固定子が鏡筒２３に固定されている。尚、このような絞りユニットの構成については、絞り機構とシャッタ機構とを兼ねたものも知られている。
【特許文献１】特開平１１−１５０９７２号公報
【発明の開示】
【発明が解決しようとする課題】
【００１０】
しかしながら、上述した従来のリニア駆動装置を構成した場合、磁気回路２８からの漏洩磁束が絞りユニット３０の駆動用モータ３１に悪影響を与える。図７はこのようなレンズ鏡筒の横断面図を表し、リニア駆動装置の磁束の流れを示す説明図である。
【００１１】
すなわち、同図に示すように、このようなリニア駆動装置によれば、マグネット２５からＺ方向の漏洩磁束(図中太い実線)が発生し、その漏洩磁束の一部が絞りユニット３０の駆動用モータ３１に到達する。このため、駆動用モータ３１が磁気回路２８の漏洩磁束の影響を受け、その駆動制御に誤作動を生じさせる虞がある。
【００１２】
また、コの字型メインヨーク２６とマグネット２５の厚み分だけ、幅方向（Ｙ方向）の領域が必要とされるため、レンズ鏡筒の小型化が図れないという欠点を有する。
さらに、レンズホルダ２１と駆動コイル２９を固定するために両者の間には接着剤を塗布するが、その接着塗布面３３がレンズ鏡筒の正姿勢で鉛直方向（Ｘ−Ｚ方向）になっている。レンズ鏡筒の製造工程における接着乾燥中に接着剤が流れ落ちる虞があった。
【００１３】
本発明はこのような点に鑑みてなされたものであり、内部に可動レンズを駆動するリニア駆動装置と絞り機構を備えたレンズ鏡筒であって、その絞り機構に対して漏洩磁束による影響を与えることなく、かつ幅方向の小型化が実現できるレンズ鏡筒、及びこのレンズ鏡筒を備えた光学機器を提供することを目的とする。
【課題を解決するための手段】
【００１４】
本発明では上記問題を解決するために、内部レンズ機構を収容する筒体からなる鏡筒と、前記鏡筒内に配置された可動レンズを保持するレンズホルダを、光軸にほぼ平行に延びるガイド軸に沿って駆動させるためのリニア駆動装置と、光軸を含む水平面に対して前記リニア駆動装置とは反対側に設けられ、外部からの入射光の光量を調整する絞り機構を駆動するための駆動用モータと、を備えたレンズ鏡筒であって、前記リニア駆動装置は、前記鏡筒内に固定されると共に前記ガイド軸に平行に延びる長尺状の第１ヨークと、前記第１ヨークに連結されて長尺環状のヨーク部を形成する第２ヨークと、前記第１ヨークと前記第２ヨークとの間に両ヨークの一方に沿って固定されると共に前記第１ヨークに平行に延び、前記レンズホルダの駆動方向と垂直な方向に磁化されたマグネットとからなる磁気回路と、前記レンズホルダに固定される一方、前記ヨーク部において前記マグネットと所定の間隔をあけつつ前記第１ヨークに外挿され、その第１ヨークに沿って移動可能に構成された筒状の駆動コイルと、を備え、前記駆動コイルに前記マグネットの発生する磁束と直交するように電流を流すことで、前記レンズホルダを前記ガイド軸に沿って駆動するように構成され、前記第２ヨークの前記第１ヨークからの延出方向及び前記マグネットの磁化方向が、当該レンズ鏡筒の正姿勢において、それぞれほぼ鉛直方向になるように構成されたことを特徴とするレンズ鏡筒が提供される。
【００１５】
尚、ここでいう「内部レンズ機構」は、各レンズ，レンズホルダ，ガイド軸，リニア駆動装置，磁気回路，絞り機構，駆動用モータその他の鏡筒内部に配置される機構を含むが、例えば絞り機構については、その一部が鏡筒外に露出して設けられていてもよい。
【００１６】
また、ここでいう「レンズ鏡筒の正姿勢」とは、レンズ鏡筒における内部レンズ機構の配置方向を示すために便宜的に用いる表現であって、レンズ鏡筒ひいてはこれが収容される光学機器が正しく縦置きにされた場合の状態を意味する。
【００１７】
このようなレンズ鏡筒によれば、その正姿勢において、リニア駆動装置における磁気回路の第２ヨークが第１ヨークからほぼ鉛直方向に延出する。つまり、磁気回路において第１ヨーク，マグネット，第２ヨークが順に配列される方向をほぼ鉛直方向にとっている。このため、磁気回路の高さ方向よりも幅方向の大きさを小さくすることができる。
【００１８】
また、マグネットの磁化方向がほぼ鉛直方向となり、かつ、その上下面が第１ヨーク及び第２ヨークによって包囲されるように配置されているため、レンズホルダの駆動中に発生した磁束は、両ヨークにより遮られていない磁気回路の開放面（側面）から延出し、水平方向に広がるようになる。その結果、磁気回路に対して鉛直方向でかつ光軸を含む水平面に対して反対側に駆動用モータを配置した場合、その磁気回路の漏洩磁束が駆動用モータに到達するのを防止又は抑制することができる。
【発明の効果】
【００１９】
本発明のレンズ鏡筒によれば、磁気回路の高さ方向よりも幅方向の大きさを小さくすることができるため、レンズ鏡筒やそれが適用される光学機器において、その持ち易さ等の観点から特に要請される幅方向の小型化を実現することができる。
【００２０】
また逆に、レンズ鏡筒の幅方向のスペースに余裕ができるため、内部の絞り機構の幅を大きくとることができる。このため、例えばその絞り機構の羽根をガイドするためのレールを複数本設けることもでき、安定した絞り動作を行わせることができる。
【００２１】
また、マグネットの磁化方向をほぼ鉛直方向にすることで、磁気回路からの漏洩磁束が絞り機構の駆動用モータに及ぶのを防止又は抑制することができるため、その漏洩磁束の影響による絞り機構の誤作動を防止することができる。
【発明を実施するための最良の形態】
【００２２】
以下、本発明の実施の形態を図面に基づいて詳細に説明する。本実施の形態は、本発明をビデオカメラのレンズ鏡筒に適用したものである。図１は本実施の形態のレンズ鏡筒におけるズームレンズ駆動部の主要部の構成を表す内部斜視図であり、図２は、そのレンズ鏡筒のズームレンズ前方からみた横断面図である。尚、以下の説明では、便宜上、図１における光軸方向（図中一点鎖線）を基準に図中右方を前方、図中左方を後方と表現することがある。また、各図においては、レンズ鏡筒が正姿勢に置かれた状態を表しており、図中Ｘ方向が光軸方向，図中Ｙ方向が光軸に垂直な水平方向，図中Ｚ方向が鉛直方向をそれぞれ表している。
【００２３】
図１に示すように、本実施の形態のレンズ鏡筒は、直方体筒状の鏡筒１の内部に、ズームレンズ２（可動レンズ）及びこれを保持するレンズホルダ３を含むレンズユニット４，光軸にほぼ平行に延びてレンズユニット４をガイドするガイドシャフト５１，５２（ガイド軸），レンズユニット４をガイドシャフト５１，５２に沿って光軸方向に駆動するリニア駆動装置５，後述する絞り機構を駆動する絞りユニット１０等を収容して構成されている。尚、同図においては、便宜上ズームレンズ２近傍の構造のみを表しているが、ズームレンズ２の前後にはフォーカスレンズその他のレンズ群，絞り機構，ＣＣＤなどの内部レンズ機構が配設され、これらの光学系により後方の結像面上に撮影された物体像を形成するように構成されている。
【００２４】
レンズホルダ３は、図２にも示すように、板状の本体の中央部にズームレンズ２の保持部を有し、幅方向の一端縁近傍に後方に延出してガイドシャフト５１を内挿する筒状のスリーブ部３ａが設けられ、幅方向の他端縁近傍にガイドシャフト５２を挿通するガイド溝３ｂが設けられている。レンズホルダ３は、スリーブ部３ａとガイドシャフト５１との嵌合により光軸方向の移動がガイドされ、ガイド溝３ｂとガイドシャフト５２との係合によりそのガイドシャフト５１を中心とした回転が阻止されている。また、レンズホルダ３の上端角隅部には水平方向後方に少量突出したフランジ部３ｃが形成されており、そのフランジ部３ｃの上面に筒状の駆動コイル６が固定されている。この駆動コイル６は、その前端部でフランジ部３ｃに接着されており、後方に延出するように設けられている。
【００２５】
また、鏡筒１内には、ガイドシャフト５１に平行に延びる長尺状のサイドヨーク７（第１ヨーク）が固定されており、そのサイドヨーク７の光軸を含む水平面とは反対側の面（図中上面）にはコの字状のメインヨーク８（第２ヨーク）の両先端が連結され、長尺環状のヨーク部を形成している。これらサイドヨーク７とメインヨーク８との間には、メインヨーク８の長手方向に沿ってマグネット９が装着されている。このマグネット９はレンズホルダ３の駆動方向と垂直な方向に磁化されており、これらマグネット９，メインヨーク８及びサイドヨーク７によって磁気回路が形成されている。
【００２６】
本実施の形態において、メインヨーク８，サイドヨーク７，マグネット９，駆動コイル６の断面は、それぞれ長辺が０．５ｍｍ〜２ｍｍ、短辺が０．２〜１．２ｍｍの長方形状となるように形成されており、駆動コイル６のサイドヨーク７に沿った方向の長さが１ｍｍ〜５ｍｍとなるように形成されている。その結果、図１及び図２に示すように、リニア駆動装置５の幅ａが１ｍｍ〜４ｍｍ，高さｂが１ｍｍ〜６ｍｍとなり、駆動コイル６の長手方向の長さｃが１ｍｍ〜５ｍｍとなる。そして、この寸法形状で推力定数０．２Ｎ／Ａ以上を実現している。
【００２７】
また、メインヨーク８は、サイドヨーク７に対して鉛直方向（図中Ｚ方向）に立設され、メインヨーク８，マグネット９及びサイドヨーク７が、ガイドシャフト５１を通る鉛直線上に配置されている。また、鏡筒１の上面位置には長尺状のスリット１ａが設けられており、メインヨーク８をその両端からスリット１ａに挿入嵌合することにより、サイドヨーク７に対して固定されるように構成されている。
【００２８】
上記駆動コイル６は、上記磁気回路を構成するヨーク部においてマグネット９と所定の間隔をあけつつサイドヨーク７に外挿され、サイドヨーク７に沿って移動可能になっており、駆動コイル６にマグネット９の発生する磁束と直交するように電流を流すことで電磁力を発生させ、レンズホルダ３をガイドシャフト５１，５２に沿って駆動するように構成されている。つまり、駆動コイル６と上記磁気回路により、レンズユニット４を光軸方向に駆動するリニア駆動装置５が構成されている。
【００２９】
また、レンズユニット４の後方には、絞りユニット１０が設けられている。この絞りユニット１０は、外部からの入射光の光量を調整する絞り機構と、光軸を含む水平面に対してリニア駆動装置５とは反対側に設けられて絞り機構を駆動するガルバノメータ１１（駆動用モータ）と、このガルバノメータ１１の前方で絞り機構を収容するケース１２とから構成されている。
【００３０】
図３に絞りユニット１０の前方からみたレンズ鏡筒の断面図を示すように、この絞り機構は、絞り値を適正に調整するための２枚の板状の羽根１３，１４と、その前方に設けられて光量の微調整を行うＮＤフィルタ１５とを有する。これら２枚の羽根１３，１４の各両端縁近傍には、鉛直方向に延びるスリットがそれぞれ平行に設けられ、各羽根１３，１４のスリットには、光軸に平行に設けられたそれぞれ２本のガイドレール１６ａ，１６ｂ及び１７ａ，１７ｂが挿通されている。この絞り機構においては、ガルバノメータ１１の回転により図示しないギヤ機構により羽根１３，１４が鉛直方向に動き、その相対的な位置関係によって入射する光の量を調整するようになっている。
【００３１】
以上に説明したように、本実施の形態のレンズ鏡筒によれば、レンズ鏡筒の正姿勢においてマグネット９の磁化方向がほぼ鉛直方向になるように構成されているため、レンズホルダ３の駆動中にマグネット９から発生し、メインヨーク８及びサイドヨーク７に沿って漏洩した漏洩磁束（図中太い実線）は、水平方向に広がるようになる。図４は、このレンズ鏡筒の横断面図を表し、リニア駆動装置５の磁束の流れを示している。この結果、その漏洩磁束が光軸を含む水平面に対して反対側にあるガルバノメータ１１に到達するのを防止又は抑制することができ、ガルバノメータ１１の誤動作を防止することができる。その結果、絞り機構を正常に動作させることができる。
【００３２】
また、メインヨーク８，マグネット９及びサイドヨーク７を、ガイドシャフト５１を通る鉛直線上に配置して磁気回路の幅方向の大きさを小さくし、さらに、この磁気回路と駆動コイル６から構成されるリニア駆動装置５を、光軸方向からみて鏡筒１内の４隅の一つに形成された空きスペースに設けるようにした。このため、レンズ鏡筒においてその持ち易さ等の観点から特に要請される幅方向の小型化を実現することができる。
【００３３】
また、磁気回路をガイドシャフト５１を通る鉛直線上に配置してこのガイドシャフト５１に近づけることにより、レンズホルダ３へのガイドシャフト５１周りのモーメント力を小さくすることができ、レンズホルダ３の安定した駆動を実現することができる。
【００３４】
また、このように磁気回路の幅方向の大きさを小さくできるため、その分、レンズ鏡筒の幅方向のスペースに余裕ができ、内部の絞り機構の幅を大きくとることができる。このため、絞り機構の羽根をガイドするためのガイドレールを、その羽根一つあたりレンズ鏡筒の幅方向に複数本（本実施の形態では２本）設けることもでき、羽根の安定したガイドによる安定した絞り動作を行わせることができる。
【００３５】
さらに、レンズホルダ３と駆動コイル６との間の接着塗布面を水平な向きに配置したため、レンズ鏡筒の製造工程における接着乾燥中に接着剤が流れ落ちることを防止することができる。
【００３６】
また、メインヨーク８を挿入するためのスリット１ａを鏡筒１の上面に設けたため、そのメインヨーク８のサイドヨーク７への組付作業を視認性の良い上方から行うことができ、その組付作業の作業性が向上する。また、磁気回路やガルバノメータ１１などの駆動源から発生した熱がスリット１ａを介して鏡筒１外に逃げ易くなるため、レンズ鏡筒の冷却性能が向上する。
【００３７】
以上、本発明の好適な実施の形態について説明したが、本発明はその特定の実施の形態に限定されるものではなく、本発明の精神の範囲内での変化変形が可能であることはいうまでもない。
【００３８】
例えば、上記実施の形態では、ズームレンズの駆動機構を例に説明したが、フォーカスレンズその他の可動レンズについて同様の駆動機構を適用することができる。
また、上記実施の形態では、磁気回路によってズームレンズのレンズホルダ３のみを駆動する態様について説明したが、磁気回路を光軸に平行な方向に延長し、フォーカスレンズのレンズホルダをも駆動する共用の磁気回路ひいてはリニア駆動装置として構成することもできる。
【００３９】
また、上記実施の形態では、絞り機構の駆動用モータとしてガルバノメータ１１を用いた例を示したが、ステッピングモータその他の駆動モータを用いた場合にも同様の効果を得ることができる。
【００４０】
さらに、本発明のレンズ鏡筒は、ビデオカメラに限らず、デジタルスチルカメラその他のカメラ等の撮影装置や拡大鏡等の観察装置などの光学機器に適用することも可能である。
【産業上の利用可能性】
【００４１】
可動レンズを光軸に沿って駆動するリニア駆動装置と、絞り機構を駆動する駆動モータとを内部に収容したレンズ鏡筒、及びそのレンズ鏡筒を備えた光学機器に適用することができる。
【図面の簡単な説明】
【００４２】
【図１】本発明の実施の形態にかかるレンズ鏡筒における主要部の構成を表す内部斜視図である。
【図２】レンズ鏡筒のズームレンズ前方からみた横断面図である。
【図３】レンズ鏡筒の絞りユニット周辺を表す横断面図である。
【図４】実施の形態のレンズ鏡筒による効果を表す説明図である。
【図５】従来のレンズ鏡筒の構成例を表す内部斜視図である。
【図６】従来のレンズ鏡筒のズームレンズ前方からみた横断面図である。
【図７】従来のレンズ鏡筒の問題点を表す説明図である。
【符号の説明】
【００４３】
１……鏡筒、１ａ……スリット、２……ズームレンズ、３……レンズホルダ、３ａ……スリーブ部、３ｂ……ガイド溝、３ｃ……フランジ部、４……レンズユニット、５……リニア駆動装置、６……駆動コイル、７……サイドヨーク、８……メインヨーク、９……マグネット、１０……絞りユニット、１１……ガルバノメータ、１２……ケース、１３，１４……羽根、１５……ＮＤフィルタ、１６，１７……ガイドレール、５１，５２……ガイドシャフト
【図１】
2005148252.tif 000003
【図２】
2005148252.tif 000004
【図３】
2005148252.tif 000005
【図４】
2005148252.tif 000006
【図５】
2005148252.tif 000007
【図６】
2005148252.tif 000008
【図７】
2005148252.tif 000009